(57)【要約】【課題】  予め灰皿を装備している構成とした場合でも、遊技管理者側で灰皿を使える状態と使えない状態とを設定できるようにして禁煙エリアでの喫煙を遊技者自身の操作により行えないようにすることができる構成を備えた遊技機用灰皿を提供する。【解決手段】  遊技機の前面下方に設けられた灰皿１０であって、前記遊技機のパネル２０に対して出入可能に嵌合支持され、収納位置および引き出し位置にそれぞれ位置決めされ、収納された状態から引き出す際には前記パネル２０の開放を前提としてパネル２０の裏面に設けられている係止部材２１の係合解除を経て行われる構成１０Ａを備えたことを特徴としている。【選択図】  図２
2006109912.tif 000002
【特許請求の範囲】
【請求項１】
遊技機の前面下方に設けられた灰皿であって、
前記遊技機のパネルに対して出入可能に嵌合支持され、収納位置および引き出し位置にそれぞれ位置決めされ、収納された状態から引き出す際には前記パネルの開放を前提として行われる構成を備えたことを特徴とする灰皿。
【請求項２】
請求項１記載の灰皿において、
前記収納位置で位置決めされる構成は、前記パネルの内側に設けられた係止部材が用いられることを特徴とする灰皿。
【請求項３】
請求項１または２記載の灰皿において、
前記収納位置で位置決めされる構成に用いられる係止部材は、前記パネルの内側において灰皿本体の壁面に対向して設けられた可撓性爪部材であり、該可撓性爪部材は、収納位置にある灰皿の側壁面に設けられた係合部に係合することで収納位置を維持することを特徴とする灰皿。
【請求項４】
請求項１乃至３の内の一つに記載に記載された灰皿において、
前記収納位置から引き出された引き出し位置での位置決めは、灰皿本体の後壁面に設けられているフランジ部が前記パネル内面に衝止されることで行われることを特徴とする灰皿。
【請求項５】
請求項４記載の灰皿において、
前記フランジ部には後方に張り出す係止片が設けられ、該係止片は、引き出された際に前記可撓性爪部材が係合して収納位置への移動を阻止されることを特徴とする灰皿。
【請求項６】
請求項１乃至５のうちの一つに記載の灰皿において、
前記灰皿本体の底面は摺動可能に設けられ、引き出されることで底面が開放可能であることを特徴とする灰皿。
【請求項７】
請求項１乃至６のうちの一つに記載の灰皿において、
灰皿本体の前壁面は、収納位置にあるときに前記パネルの表面に連続する表面とされていることを特徴とする灰皿。
【請求項８】
請求項１乃至７のうちの一つに記載の灰皿を用いることを特徴とする遊技機。
【発明の詳細な説明】
【技術分野】
【０００１】
本発明は、灰皿および遊技機に関し、さらに詳しくは、遊技機前面に設けられている球受け皿等に装備されている灰皿の出入機構に関する。
【背景技術】
【０００２】
周知のように、遊技機の一つであるパチンコ遊技機は、その前面に前面枠が装着され、前面枠の前面下部側に位置するガラス扉の下方に球受け皿を構成している一体皿が、前面枠に開閉支持されている背面板（図示されず）に取り付けられて設けられている。
【０００３】
一体皿には、発射装置に向けパチンコ球を供給する供給領域と払い出された賞球を貯留する貯留領域とがほぼ同一面内に設けられると共に、これら各領域の側方には喫煙者のための灰皿が設けられている。
【０００４】
灰皿は、一体皿などの球受け皿の一部において回動自在に設けられる構成が採用されており、吸い殻の回収時に回動させることにより、収容されている吸い殻を落下させることができるようになっている（例えば、特許文献１）。
【０００５】
ところで、近年、喫煙者人口が少なくなる傾向にあり、また、灰皿内の吸い殻回収、いわゆる清掃作業が遊技島間の狭い箇所で行わなければならないことさらには吸い殻回収時に遊技者の遊技を妨げる虞があることなどの理由により、灰皿の清掃を少なくすることが望まれる傾向にある。このため、従来では、遊技機が搭載される遊技島の下部に位置するカウンタに設置した灰皿の下方にベルトコンベヤーやスクリューオーガなどの移送手段を設けたり、気流搬送手段を設けることで灰皿内から落下する吸い殻を自動的に回収する構成が提案されている（例えば、特許文献２）。
【特許文献１】特開２００１−２３２０１９号公報（段落「０００４」欄）
【特許文献２】特開２０００−１６７２２５号公報（段落「０００２」欄、「０００４」欄）
【発明の開示】
【発明が解決しようとする課題】
【０００６】
しかし、遊技ホールにおいて喫煙エリアと禁煙エリアとを区別することは可能であっても、それら各エリアに設置される遊技機は灰皿のないものとあるものとに区別して設置することは遊技場での設置コストの上昇の面から好ましくない場合がある。特に、上述したエリアを区別できない程度の小規模な遊技ホールでは設置コストは、経営、管理コストに影響を受けやすく、おおむね一様な仕様、つまり灰皿を備えた構成の遊技機を設置することが多い。
【０００７】
本発明の目的は、上記従来の遊技機における灰皿の問題に鑑み、予め灰皿を装備している構成とした場合でも、遊技管理者側で灰皿を使える状態と使えない状態とを設定できるようにして禁煙エリアでの喫煙を遊技者自身の操作により行えないようにすることができる構成を備えた灰皿およびこれを用いる遊技機を提供することにある。
【課題を解決するための手段】
【０００８】
請求項１記載の発明は、遊技機の前面下方に設けられた灰皿であって、前記遊技機のパネルに対して出入可能に嵌合支持され、収納位置および引き出し位置にそれぞれ位置決めされ、収納された状態から引き出す際には前記パネルの開放を前提として行われる構成を備えたことを特徴としている。
【０００９】
請求項２記載の発明は、請求項１記載の灰皿において、前記収納位置で位置決めされる構成は、前記パネルの内側に設けられた係止部材が用いられることを特徴としている。
【００１０】
請求項３記載の発明は、請求項１または２記載の灰皿において、前記収納位置で位置決めされる構成に用いられる係止部材は、前記パネルの内側において灰皿本体の壁面に対向して設けられた可撓性爪部材であり、該可撓性爪部材は、収納位置にある灰皿の側壁面に設けられた係合部に係合することで収納位置を維持することを特徴としている。
【００１１】
請求項４記載の発明は、請求項１乃至３の内の一つに記載に記載された灰皿において、前記収納位置から引き出された引き出し位置での位置決めは、灰皿本体の後壁面に設けられているフランジ部が前記パネル内面に衝止されることで行われることを特徴としている。
【００１２】
請求項５記載の発明は、請求項４記載の灰皿において、前記フランジ部には後方に張り出す係止片が設けられ、該係止片は、引き出された際に前記可撓性爪部材が係合して収納位置への移動を阻止されることを特徴としている。
【００１３】
請求項６記載の発明は、請求項１乃至５のうちの一つに記載の灰皿において、前記灰皿本体の底面は摺動可能に設けられ、引き出されることで底面が開放可能であることを特徴としている。
【００１４】
請求項７記載の発明は、請求項１乃至６のうちの一つに記載の灰皿において、灰皿本体の前壁面は、収納位置にあるときに前記パネルの表面に連続する表面とされていることを特徴としている。
【００１５】
請求項８記載の発明は、請求項１乃至６のうちの一つに記載の灰皿を遊技機に用いることを特徴としている。
【発明の効果】
【００１６】
請求項１および２記載の発明によれば、収納されている灰皿を引き出す際にはパネルの開放を前提とし、特に請求項２記載の発明においては、収納位置で位置決めされる構成がパネルの内側に設けられた係止部材であるので、遊技者での引き出し操作が行えないようにすることができる。これにより、予め灰皿を装備した構成の遊技機であっても、喫煙エリアあるいは禁煙エリアでの遊技機の前面構成を任意に変更することができ、灰皿の有無によって影響する設置コストの上昇を低減することが可能となる。
【００１７】
請求項３記載の発明によれば、灰皿を収納位置で位置決めするために用いられる構成に備えられている係止部材として、パネル内側に設けられた可撓性爪部材が用いられ、可撓性爪部材が灰皿の側壁面との係合を行えるので、簡単な構成により灰皿の有無形態を簡単に設定することが可能となる。
【００１８】
請求項４および５記載の発明によれば、灰皿の引き出し位置での位置決めが灰皿本体の後壁面に設けられているフランジを用いてパネル内面と衝止される構成であるので、特別な係止構造を要することなく灰皿の移動に応じて自動的に位置決めすることが可能となる。特に請求項５記載の発明においては、フランジ部に設けてある係止片が可撓性爪部材に係合することで引き出し位置から収納位置に向けた不用意な移動を阻止されて引き出し位置を維持することが可能となる。
【００１９】
請求６記載の発明によれば、灰皿の底面が摺動可能で底面を開放することができるので、引き出されることにより灰皿を装備した状態の遊技機とした場合の吸い殻回収を灰皿の取り外しなどを要することなく簡単に行わせることが可能となり、清掃効率を上げることができる。
【００２０】
請求項７記載の発明によれば、灰皿の前壁面が収納位置においてパネル表面に連続することができるので、灰皿を用いない場合の装飾を妨げることがないようにできる。これにより、灰皿が装備されている場合でも使用しないときに化粧パネルなどの特別な装飾部材を設けるような必要がなく、維持管理コストの上昇を抑えることが可能となる。
【００２１】
請求項８記載の発明によれば、予め灰皿を装備した遊技機を設置する場合に灰皿の使用形態を遊技場管理者側で設定できるので、灰皿の必要性に応じて遊技機の種類を選択する必要がなく、設置コストの上昇を抑えることが可能となる。
【発明を実施するための最良の形態】
【００２２】
以下、図に示す実施例により本発明を実施するための最良の形態について説明する。
【実施例】
【００２３】
図１は、本発明実施例で対象とするパチンコ遊技機１００の正面図であり、同図においてパチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【００２４】
前枠２は、外枠２の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
【００２５】
前枠２の上部領域には、遊技盤５が配置されており、遊技盤５は、所定板厚の積層合板の裏側にセルを貼り付けてルーター加工した化粧板を基板とし、その前面側には図示しないが、環状に取り付けられたガイドレールに囲まれて略円形状の遊技領域６が設けられている。
【００２６】
遊技領域６には、図示しないが、略中央部に画像表示装置の表示部が配置され、表示部の周りにはセンター飾りや始動入賞口および大入賞口などがそれぞれ配置されている。遊技領域下部にはアウト球を回収するアウト口も設けられており、始動入賞口や大入賞口に入賞せずに落下したアウト球を遊技盤５の背面側から機外に排出できるようになっている。
【００２７】
また、前枠２の前面上部側には、遊技盤５を視認できるように透明なガラス盤を備えた前扉７が水平方向に開閉可能かつ着脱可能に設けられ、通常は、施錠装置４により閉鎖状態に保持されて遊技盤５の前面を覆っている。
【００２８】
前枠２の前面下部側でガラス扉７の下方には、球受け皿を構成している一体皿８が、前枠２に開閉支持されている背面板（図示されず）に取り付けられて設けられており、一体皿８は、図示しない施錠装置により通常、閉鎖状態に保持されている。
【００２９】
一体皿８は、詳細を図示しないが、発射装置に向けてパチンコ球を供給する供給レールを備えた供給領域と払い出された賞球を貯留する貯留領域とをほぼ同一面内に有し、各領域から皿外部に向けてパチンコ球を排出する球抜け部を一体構造部内に纏めた構成を有している。
【００３０】
一体皿８には、パチンコ球が存在する皿部だけではなく、皿部の正面右側下部に発射ハンドル９が、そして、正面左側下部に灰皿１０が設けられている。
【００３１】
図２は、灰皿の設置部を示す図であり、同図において灰皿１０は、上面開放型の箱で構成され、これが設置される遊技機の一体皿におけるパネル部２０に形成された開口部において摺動可能に嵌合支持されている。
【００３２】
開口部に嵌合支持されている灰皿１０は、パネル部１０の開口部下縁に一体化されているガイド板２０Ａ上に搭載されてガイドされることにより、押し込まれて収納される位置と、収納位置から外側に引き出される引き出し位置とを選択できるようになっているが、収納位置で位置決めされることによりパネル部２０の外側から引き出すことができないようになっている。
【００３３】
以下、収納位置に位置決めを行う構成について説明する。
【００３４】
パネル部２０の内側には、開口部の近傍に灰皿１０を収納位置に保持する係止部材としての可撓性爪部材２１が設けられている。
【００３５】
可撓性爪部材２１は、灰皿１０の両側の側壁面に対向して一対で設けられた片持ち梁状部材であり、灰皿１０の側壁面に対向する自由端には側壁面に向け突出している係止爪部２１Ａが形成されている。
【００３６】
係止爪部２１Ａは、図３に示すように、灰皿１０の摺動方向（図３において矢印で示す方向）と直角な方向の係止面２１Ａ１およびこの係止面２１Ａ１の先端を頂点の一つとする勾配面２１Ａ２を備え、収納位置に向けた灰皿１０の移動を阻止できる側に係止面２１Ａが配置されている。
【００３７】
灰皿１０の側壁面には、収納された状態で可撓性爪部材２１の係止爪部２１Ａを係合させることができる係合凹部１０Ａ（図２参照）が設けられており、図４（Ａ）に示すように、係止爪部２１Ａが係合することで灰皿１０を押し込む際の収納位置、つまり図４（Ａ）において符号Ｓで示すように、灰皿１０の前部壁面がパネル部２０の表面と連続することができる奥行き深さの位置を規定できるようになっている。
【００３８】
一方、灰皿１０には、パネル部２０から外部に突出することがない後部壁面にフランジ部１０Ｂが設けられている。
【００３９】
フランジ部１０Ｂの突出量は、灰皿１０が引き出される際に可撓性爪部材２１の係止爪部２１Ａに対して、これが乗り上げることができる撓み変形を生起させる量とされている。
【００４０】
フランジ部１０Ｂは、収納位置から引き出し位置に向けて灰皿１０が移動された場合にパネル部２０の内面に衝止されることで引き出し位置を規定するようになっている。
【００４１】
さらにフランジ部１０Ｂの背面には、後方に張り出す係止片１０Ｃが一対で設けられており、図４（Ｂ）に示すように、灰皿１０が引き出された際に可撓性係止爪部材２１の係止面２１Ａ１が係合して灰皿１０の後方移動を阻止するようになっている。これにより、引き出された灰皿１０が不用意に押し込まれて再度引き出すことができないような事態が生じるのを防止している。
【００４２】
また、灰皿１０の前部壁面は、図５に示すように、収納された際にパネル部２０と連続する面に形成されており、収納位置にあるときにパネル部２０の表面の一部を構成できるようになっている。これにより、収納位置に灰皿１０を移動させた際の表面側がパネル部２０の表面と極端に異なる印象を与えることがなく、化粧板などを用いて目隠しをするというような加工が不要となる。
【００４３】
本実施例は以上のような構成であるから、灰皿１０は、押し込まれて収納位置に移動する際には可撓性爪部材２１の係止爪２１Ａが側壁面の係合凹部１０Ａに係合することで押し込み量を規定されて収納位置に位置決めされ、押し込みすぎてしまうような事態が防止される。
【００４４】
収納位置に位置決めされた灰皿１０は、その表面がパネル部１０の表面に連続しているので段差などを生じることがなく装飾的にその部分のみが奇異な印象を与えることがない。
【００４５】
一方、収納位置にある灰皿１０を引き出す際には、可撓性爪部材２１がパネル２０の内側に設けてあるのでパネル部２０の表面側からの引き出しは行えず、パネル部２０を開放することで可撓性爪部材２１による灰皿１０との係合状態を解除して初めて引き出しが行えることになる。
【００４６】
この場合には、開放されたパネル部２０の裏面側で可撓性爪部材２１の係止爪２１Ａを灰皿１０の係合凹部１０Ａから外して係合を解除した上で灰皿１０を外部に向けて押し出す。
【００４７】
押し出される灰皿１０は、フランジ部１０Ｂがパネル部２０の内面に衝止されることで引き出し位置に位置決めされ、さらに、フランジ部１０Ｂの後方に位置する係止片１０Ｃが可撓性爪部材２１の係止爪２１Ａに係合することで収納位置への移動を阻止される。
【００４８】
このように、遊技機を遊技場へ設置する場合でいうと、予め灰皿を装備した構成の遊技機を搬入した場合でも遊技場内での喫煙エリアへの設置および禁煙エリアへの設置が灰皿１０の引き出し位置への移動あるいは収納位置での保持のいずれかを選択することにより可能となるので、灰皿のないものとあるものとの選別を強いられることなく、設置にかかるコストを低減させることができる。
【００４９】
一方、禁煙エリアに設置された遊技機の灰皿を遊技者が引き出そうとした場合には、パネル部２０の開放ができない以上、可撓性爪部材２１による係合を解除できないので、禁煙エリアで不用意に遊技者が喫煙して周りに迷惑をかけるような事態を防止することも可能となる。
【００５０】
なお、係止部材としては、上述した可撓性爪部材２１に限らず、例えば、ラッチ機構やスプリングキャッチなどの係脱可能な部材を用いることも可能である。
【００５１】
本実施例によれば、可撓性爪部材２１における係止爪部２１Ａの係止面２１１Ａと勾配面２１Ａ２との配置関係が、灰皿１０を押し出しやすい関係、つまり、灰皿１０が引き出し位置に向けて移動する際に勾配面２１Ａ２が係合凹部１０Ｂに対向する関係となるので、大きな力を要することなく灰皿１０を引き出し位置に移動させることができ、設置時での労力負担を軽減することが可能となる。
【００５２】
次に上記実施例における要部変形例について説明する。
【００５３】
図６は、灰皿の構成を示す図であり、同図に示す灰皿は底面が開放できるようになっていることを特徴としている。なお、図６において、図２に示した部材と同じものと同符号により示してある。
【００５４】
図６において灰皿（便宜上、符号１００で示す）は、上面および底面が開放された方形箱で構成され、前部壁面１００Ａは側壁面１００Ｂに対して蟻溝構造を用いて嵌合支持されることにより上下方向に摺動できるようになっている。
【００５５】
灰皿１００の内部には、図６（Ｂ）に示すように、側壁面１００Ｂの下部から内側に張り出した摺動支持片部１００Ｂ１に載置された底板１０１が設けられており、摺動支持片部１００Ｂ１間の空間部、つまり灰皿１００の底面開口部（図において符号Ｌで示す領域）を覆っている。
【００５６】
灰皿１００は、図６（Ｂ）に示すように、前部壁面１００Ａにおける下面の一部が側壁面１００Ｂの摺動支持片部１００Ｂ１に載ることにより下方への落下を防止されて灰皿１００の前面を覆うことができ、この状態から図４（Ｃ）に示すように引き上げることで内部に配置されている底板１０１を外側に引き出すことができる。
【００５７】
前部壁面１００Ａの引き上げ量は、底板１０１の前方に設けてある把持部１０１Ａが通過できる程度で良く、この引き上げ量とすることで底板１０１上に堆積している吸い殻を前部壁面１００Ａの内面に衝突させて底面開口部Ｌから落下させやすくすることができる。
【００５８】
この構成においては、灰皿１００が遊技機前面に引き出されている場合、吸い殻入れとして使用することができ、内部に堆積した吸い殻を回収する場合には前部壁面１００Ａを引き上げると共に底板１０１を引き出す。これにより、吸い殻が底面開口から落下しやすくなり、灰皿下方に回収部材を配置することで堆積した吸い殻などを清掃することができる。なお、図には示してないが、吸いかけのたばこを保持しておくホルダーを内部空間の適所に設けることも可能である。
【００５９】
また、底板１０１は、前部壁面１００Ａを引き上げなければ引き出すことができず、しかも、前部壁面１００Ａが蟻溝構造により側壁面と一体的となっているので、前部壁面１００Ａが動く部分であることを容易に認識させる構成ではないので、遊技者が簡単に底板１０１を操作するようなことを避けて不用意に底面開口を開放されて吸い殻の落下による汚損を来すような事態を招かないようにすることができる。
【００６０】
さらに、清掃方法としては、遊技場管理者が一々回収に回る方法に代えて、引き出された灰皿の下方に灰皿１００から落下した吸い殻などを導入する回収口などを遊技島のカウンタなどに設け、その回収口の内部で搬送部材により回収するようにしてもよい。
【００６１】
なお、上記実施例に挙げた遊技機はパチンコ遊技機であるが、本発明はこれに限らず、スロットマシンなどの遊技機やゲームセンターで用いられる遊技機にも適用することが可能である。
【図面の簡単な説明】
【００６２】
【図１】本発明実施例による灰皿を適用する遊技機の一例を示すパチンコ遊技機の正面図である。
【図２】本発明実施例による灰皿の要部構成を説明するための部分的な斜視図である。
【図３】図２に示した要部構成における係止構造を説明するための図である。
【図４】本発明実施例による灰皿の動作状態を示す図であり、（Ａ）は収納位置に位置決めされた状態を、（Ｂ）は引き出し位置に位置決めされた状態をそれぞれ示している。
【図５】本発明実施例による灰皿の正面を示す斜視図である。
【図６】本発明実施例による灰皿の要部変形例を説明するための図であり、（Ａ）は通常状態を、（Ｂ）は内部の一部を透視した状態を、（Ｃ）は一態様をそれぞれ示している。
【符号の説明】
【００６３】
８              一体皿
１０，１００    灰皿
１０Ａ          係合凹部
１０Ｂ          フランジ部
２０            パネル部
２１            可撓性爪部材
２１Ａ          係止爪  
２１Ａ１        係止面
２１Ａ２        勾配面
１０１          底板
【図１】
2006109912.tif 000003
【図２】
2006109912.tif 000004
【図３】
2006109912.tif 000005
【図４】
2006109912.tif 000006
【図５】
2006109912.tif 000007
【図６】
2006109912.tif 000008